(57)【要約】【課題】予め定められた目的地以外のお勧めスポットに関する情報をユーザに提供することが可能なサーバ装置等を提供する。【解決手段】ユーザが複数のコースの中から選択したあるコースに基づいて移動する最中に、そのコースを構成する所定のルートを含む一定の地域内に存在するお勧めスポットのスポット情報を通信端末装置１０に提供するにあたって、サーバ装置３０が、ユーザが携帯する通信端末装置１０の現在位置の現在位置情報を取得し、その現在位置が、出発地から出発した後に所定のルート又は当該ルートに関連する位置上に存在するときに、スポット情報選択手段が所定の条件を満たすお勧めスポットのスポット情報をスポット情報の中から選択し、情報生成手段がそのスポット情報に基づいて推薦情報を生成し、生成された推薦情報を通信端末装置１０に提供する。【選択図】図１
2016180661.tif 000002
【特許請求の範囲】
【請求項１】
ネットワークを介して接続された通信端末装置と連動し、前記通信端末装置に情報を提供するためのサーバ装置であって、
出発地、到着地及び該出発地と該到着地とを結ぶ所定のルートが予め定められ複数のコースのコース情報が登録されたコース情報データベースを管理するコース情報データベース管理手段と、
前記所定のルートを含む一定の地域内に存在するスポットの情報がスポット情報として登録されたスポット情報データベースを管理するスポット情報データベース管理手段と、
複数の前記コース情報の中から予め選択された前記コース情報を前記通信端末装置に提供するための情報提供手段と、
ユーザによって携帯された前記通信端末装置の現在位置情報を取得する位置情報取得手段と、
前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段と、
選択されたお勧めスポットにおける前記スポット情報を推薦するための推薦情報を生成する情報生成手段と、を備え、
前記情報提供手段が
生成された前記推薦情報を前記通信端末装置に提供する特徴とするサーバ装置。
【請求項２】
請求項１に記載のサーバ装置において、
前記スポット情報選択手段が、
前記所定の条件として、前記通信端末装置の存在する現在位置から予め設定された所定距離の範囲に位置するスポットを前記お勧めスポットとして選択する、サーバ装置。
【請求項３】
請求項１又は２に記載のサーバ装置において、
前記通信端末装置が前記所定の位置に存在する時点における前記所定のルートを含む一定の地域の気象情報を気象情報データベースから取得する気象情報取得手段を更に備え、
前記スポット情報選択手段が、
前記所定の条件として、前記スポット情報データベースに登録されたスポット情報に、前記気象情報取得手段により取得された気象情報が含まれるスポットをお勧めスポットとして選択する、サーバ装置。
【請求項４】
請求項１〜３のいずれか１項に記載のサーバ装置において、
前記スポット情報選択手段が、前記所定の条件として、前記スポット情報データベースに登録されたスポット情報に含まれる各スポットの属性を示す属性情報と、予め設定されたユーザが希望する前記スポットの属性情報とが一致するスポットをお勧めスポットとして選択する、サーバ装置。
【請求項５】
請求項１〜４のいずれか１項に記載のサーバ装置において、
前記通信端末装置からの現在位置情報に基づいて、前記通信端末装置が移動状態にあるか停止状態にかるかを判定する状態判定手段と、
前記状態判定手段の判定結果に基づいて、前記通信端末装置が、推薦情報として提供された前記スポット情報のお勧めスポットにて停止状態にあると判断した場合に、前記お勧めスポットに立ち寄ったと判定する立ち寄り判定手段と、
前記立ち寄り判定手段の結果に基づいて、前記お勧めスポット毎の立ち寄り回数をカウントし、当該お勧めスポット毎の立ち寄り回数をデータベースに登録する立ち寄り回数カウント手段と、を更に備え、
前記スポット情報選択手段が、
前記所定の条件として、前記登録された立ち寄り回数が予め定められた所定の範囲に含まれるスポットをお勧めスポットとして選択する、サーバ装置。
【請求項６】
請求項１〜５のいずれか１項に記載のサーバ装置において、
前記通信端末装置を介してユーザから送られたコメント情報を前記お勧めスポット毎にデータベースに登録するコメント情報登録手段と、
登録された前記コメント情報が予め設定された所定内容であるかを判定するコメント内容判定手段と、
前記コメント内容判定手段の判定結果に基づいて、前記所定内容のコメントの数を前記お勧めスポット毎にカウントするコメントカウント手段と、を備え、
前記スポット情報選択手段が、
前記所定の条件として、前記カウントされたコメント数が予め定められた所定の範囲に含まれるスポットをお勧めスポットとして選択する、サーバ装置。
【請求項７】
請求項１〜６のいずれか１項に記載のサーバ装置において、
前記所定の位置が、前記所定のルート上、又は当該ルートに関連する位置上である、サーバ装置。
【請求項８】
通信端末装置とネットワークを介して接続された連動するサーバ装置のプログラムであって、
前記サーバ装置を、
出発地、到着地及び該出発地と該到着地とを結ぶ所定のルートが予め定められ複数のコースのコース情報が登録されたコース情報データベースを管理するコース情報データベース管理手段、
前記所定のルートを含む一定の地域内に存在するスポットの情報がスポット情報として登録されたスポット情報データベースを管理するスポット情報データベース管理手段と、
複数の前記コース情報の中から予め選択された前記コース情報を前記通信端末装置に提供するための情報提供手段、
ユーザによって携帯された前記通信端末装置の現在位置情報を取得する位置情報取得手段、
前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段、
選択されたお勧めスポットにおける前記スポット情報を推薦するための推薦情報を生成する情報生成手段と、として機能させ、
前記情報提供手段を生成された前記推薦情報を前記通信端末装置に提供する前記情報提供手段として機能させることを特徴とするプログラム。
【請求項９】
通信端末装置と、
前記通信端末装置にネットワークを介して接続され、前記通信端末装置と連動するサーバ装置と、を備え、
前記サーバ装置が、
出発地、到着地及び該出発地と該到着地とを結ぶ所定のルートが予め定められ複数のコースのコース情報が登録されたコース情報データベースを管理するコース情報データベース管理手段と、
前記所定のルートを含む一定の地域内に存在するスポットの情報がスポット情報として登録されたスポット情報データベースを管理するスポット情報データベース管理手段と、
複数の前記コース情報の中から予め選択された前記コース情報を前記通信端末装置に提供するための情報提供手段と、
ユーザによって携帯された前記通信端末装置の現在位置情報を取得する位置情報取得手段と、
前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段と、
選択されたお勧めスポットにおける前記スポット情報を推薦するための推薦情報を生成する情報生成手段と、を備え、
前記情報提供手段が
生成された前記推薦情報を前記通信端末装置に提供する特徴とする通信システム。
【発明の詳細な説明】
【技術分野】
【０００１】
本発明は、通信端末装置と連動して情報を提供するサーバ装置、プログラム及び通信システムに関する。
【背景技術】
【０００２】
近年、携帯用通信端末装置に搭載されているＧＰＳ（Ｇｌｏｂａｌ  Ｐｏｓｉｔｉｏｎｉｎｇ  Ｓｙｓｔｅｍ）を利用することによって、携帯用通信端末装置の位置情報等を用い、ユーザにとって有益であると考えられる観光地等の情報を提供するためのシステムを利用することができるようになっている。
【０００３】
また、最近では、携帯用通信端末装置を情報端末として手軽に利用できる環境も整備され、携帯用通信端末装置の位置情報に基づいて各種の情報が提供されるサービスも登場している。例えば、携帯用通信端末装置の現在位置の情報に基づいて、目的地までの道順や目的地の情報を提供することや、目的地が変更された場合における目的地までの道順や目的地の情報を提供するシステムが登場している（例えば、特許文献１）。
【先行技術文献】
【特許文献】
【０００４】
【特許文献１】特開平２０１０−１３９２８７号公報
【発明の概要】
【発明が解決しようとする課題】
【０００５】
一方、ある出発地から他の到着地に移動するユーザが、上記特許文献１に開示されているシステムを利用する場合には、ユーザは、予め定められた目的地以外のお勧めのスポットにも立ち寄りたいという潜在的な願望がある。また、上記の出発地と到着地とが存在するコミュニティも、予め定められた目的地以外のお勧めのスポットに立ち寄ってもらいたいという潜在的な要望がある。
【０００６】
しかしながら、上記特許文献１に開示されたシステムのような従来のシステムでは、システムのユーザが定めた目的地に関する情報だけしか提供されず、目的地以外のスポットの情報は提供されておらず、上述の要望や願望を満たすような情報を提供することは難しい。
【０００７】
本発明は、上記課題を解決するためになされたものであり、その目的は、予め定められた目的地までの経路を誘導する際にその経路の近傍に存在するお勧めスポットに関する情報をユーザに提供することができるサーバ装置等を提供することにある。
【課題を解決するための手段】
【０００８】
（１）上述した課題を解決するため、本発明に係るサーバ装置は、ネットワークを介して接続された通信端末装置と連動し、前記通信端末装置に情報を提供するためのサーバ装置であって、出発地、到着地及び該出発地と該到着地とを結ぶ所定のルートが予め定められ複数のコースのコース情報が登録されたコース情報データベースを管理するコース情報データベース管理手段と、前記所定のルートを含む一定の地域内に存在するスポットの情報がスポット情報として登録されたスポット情報データベースを管理するスポット情報データベース管理手段と、複数の前記コース情報の中から予め選択された前記コース情報を前記通信端末装置に提供するための情報提供手段と、ユーザによって携帯された前記通信端末装置の現在位置情報を取得する位置情報取得手段と、前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段と、選択されたお勧めスポットにおける前記スポット情報を推薦するための推薦情報を生成する情報生成手段と、を備え、前記情報提供手段が生成された前記推薦情報を前記通信端末装置に提供する構成を有している。
【０００９】
この構成を有するサーバ装置によれば、通信端末装置を携帯するユーザが出発地を出発し、通信端末装置が所定の位置に存在するときに、所定の条件を満たすお勧めスポットのスポット情報を通信端末装置に提供するので、例えば、予め定められたコースに沿って観光スポットなどを誘導している場合に、ユーザに対し当初の目的地とは異なるものの、当該スポット一定の地域に存在するあまり知られていないスポットをお勧めスポットとして情報提供することができる。
【００１０】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【００１１】
（２）また、本発明に係るサーバ装置は、前記スポット情報選択手段が、前記所定の条件として、前記通信端末装置の存在する現在位置から予め設定された所定距離の範囲に位置するスポットを前記お勧めスポットとして選択する構成を有している。
【００１２】
この構成を有するサーバ装置によれば、通信端末装置を携帯するユーザが、お勧めスポットに近づいたときに、そのお勧めスポットのスポット情報を通信端末装置に提供することによって、ユーザに対し当初の目的地とは異なるものの、当該スポット一定の地域に存在するあまり知られていないスポットをお勧めスポットとして情報提供することができる。
【００１３】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【００１４】
特に、ユーザにとっては、ユーザの存在位置からあまり離れていない位置に存在するお勧めスポットの情報が提供されるので、そのお勧めスポットに足を運んでもらえる可能性を向上させることができる。
【００１５】
（３）また、本発明に係るサーバ装置は、前記通信端末装置が前記所定の位置に存在する時点における前記所定のルートを含む一定の地域の気象情報を気象情報データベースから取得する気象情報取得手段を更に備え、前記スポット情報選択手段が、前記所定の条件として、前記スポット情報データベースに登録されたスポット情報に、前記気象情報取得手段により取得された気象情報が含まれるスポットをお勧めスポットとして選択する構成を有している。
【００１６】
この構成を有するサーバ装置によれば、携帯端末装置を携帯するユーザが移動している最中の天候に適したお勧めスポットのスポット情報を通信端末装置に提供することができるので、ユーザに対し当初の目的地とは異なるものの、当該スポット一定の地域に存在するあまり知られていないスポットをお勧めスポットとして情報提供することができる。
【００１７】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【００１８】
（４）また、本発明に係るサーバ装置は、前記スポット情報選択手段が、前記所定の条件として、前記スポット情報データベースに登録されたスポット情報に含まれる各スポットの属性を示す属性情報と、予め設定されたユーザが希望する前記スポットの属性情報とが一致するスポットをお勧めスポットとして選択する構成を有している。
【００１９】
この構成を有するサーバ装置によれば、ユーザの目的や諸事情に応じたお勧めスポットの情報を通信端末装置に提供することができるので、ユーザに対し当初の目的地とは異なるものの、当該スポット一定の地域に存在するあまり知られていないスポットをお勧めスポットとして情報提供することができる。
【００２０】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【００２１】
（５）また、本発明に係るサーバ装置は、前記通信端末装置からの現在位置情報に基づいて、前記通信端末装置が移動状態にあるか停止状態にかるかを判定する状態判定手段と、前記状態判定手段の判定結果に基づいて、前記通信端末装置が、推薦情報として提供された前記スポット情報のお勧めスポットにて停止状態にあると判断した場合に、前記お勧めスポットに立ち寄ったと判定する立ち寄り判定手段と、前記立ち寄り判定手段の結果に基づいて、前記お勧めスポット毎の立ち寄り回数をカウントし、当該お勧めスポット毎の立ち寄り回数をデータベースに登録する立ち寄り回数カウント手段と、を更に備え、前記スポット情報選択手段が、前記所定の条件として、前記登録された立ち寄り回数が予め定められた所定の範囲に含まれるスポットをお勧めスポットとして選択する構成を有している。
【００２２】
この構成を有するサーバ装置によれば、ユーザが実際に立ち寄った人気の高いお勧めスポットとそうでないお勧めスポットとを区分けすることができ、その結果を通信端末装置に対して提供するお勧めスポットのスポット情報に反映させることができる。
【００２３】
したがって、ユーザにとって価値の高いスポット情報を提供することができるとともに、人気の高いお勧めスポットをユーザに認知させ、そのお勧めスポットにユーザを誘導することができ、ユーザにその地域における新たな発見を促すことによって当該地域の魅力を伝えることができるとともに、その地域の活性化を図ることができる。
【００２４】
（６）また、本発明に係るサーバ装置は、前記通信端末装置を介してユーザから送られたコメント情報を前記お勧めスポット毎にデータベースに登録するコメント情報登録手段と、登録された前記コメント情報が予め設定された所定内容であるかを判定するコメント内容判定手段と、前記コメント内容判定手段の判定結果に基づいて、前記所定内容のコメントの数を前記お勧めスポット毎にカウントするコメントカウント手段と、を備え、
前記スポット情報選択手段が、前記所定の条件として、前記カウントされたコメント数が予め定められた所定の範囲に含まれるスポットをお勧めスポットとして選択する構成を有している。
【００２５】
この構成を有するサーバ装置によれば、ユーザのコメント情報を利用することによって、評判のよいお勧めスポットとそうでないお勧めスポットとに区分けすることができ、その結果を通信端末装置に対して提供するお勧めスポットのスポット情報に反映することができる。
【００２６】
したがって、ユーザにとって価値の高いスポット情報を提供することができるとともに、評価の高いお勧めスポットをユーザに認知させ、そのお勧めスポットにユーザを誘導することができ、ユーザにその地域における新たな発見を促すことによって当該地域の魅力を伝えることができるとともに、その地域の活性化を図ることができる。
【００２７】
（７）また、本発明に係るサーバ装置は、前記所定の位置が、前記所定のルート上、又は当該ルートに関連する位置上であることを特徴とする。
【００２８】
この構成を有するサーバ装置によれば、通信端末装置を携帯するユーザが、所定のルート上、又は当該ルートに関連する位置上に存在する場合に所定の条件を満たすお勧めスポットのスポット情報を通信端末装置に提供するので、ユーザに対し当初の目的地とは異なるものの、当該スポット一定の地域に存在するあまり知られていないスポットをお勧めスポットとして情報提供することができる。
【００２９】
特に、ユーザが携帯する通信端末装置が所定のルート上に存在する場合だけでなく、当該ルートに関連する位置上に存在する場合にもお勧めスポットとして情報提供することができるので、ユーザに対して、広い範囲に存在するスポットをお勧めスポットとして情報提供することができる。
【００３０】
（８）また、本発明に係るプログラムは、通信端末装置とネットワークを介して接続された連動するサーバ装置のプログラムであって、前記サーバ装置を、出発地、到着地及び該出発地と該到着地とを結ぶ所定のルートが予め定められ複数のコースのコース情報が登録されたコース情報データベースを管理するコース情報データベース管理手段、前記所定のルートを含む一定の地域内に存在するスポットの情報がスポット情報として登録されたスポット情報データベースを管理するスポット情報データベース管理手段と、複数の前記コース情報の中から予め選択された前記コース情報を前記通信端末装置に提供するための情報提供手段、ユーザによって携帯された前記通信端末装置の現在位置情報を取得する位置情報取得手段、前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段、選択されたお勧めスポットにおける前記スポット情報を推薦するための推薦情報を生成する情報生成手段と、として機能させ、前記情報提供手段を生成された前記推薦情報を前記通信端末装置に提供する前記情報提供手段として機能させる構成を有している。
【００３１】
この構成を有するプログラムによれば、通信端末装置を携帯するユーザが出発地を出発し、通信端末装置が所定の位置に存在するときに、所定の条件を満たすお勧めスポットのスポット情報を通信端末装置に提供するので、例えば、予め定められたコースに沿って観光スポットなどを誘導している場合に、ユーザに対し当初の目的地とは異なるものの、当該スポット一定の地域に存在するあまり知られていないスポットをお勧めスポットとして情報提供することができる。
【００３２】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【００３３】
（９）また、本発明に係る通信システムは、通信端末装置と、前記通信端末装置にネットワークを介して接続され、前記通信端末装置と連動するサーバ装置と、を備え、前記サーバ装置が、出発地、到着地及び該出発地と該到着地とを結ぶ所定のルートが予め定められ複数のコースのコース情報が登録されたコース情報データベースを管理するコース情報データベース管理手段と、前記所定のルートを含む一定の地域内に存在するスポットの情報がスポット情報として登録されたスポット情報データベースを管理するスポット情報データベース管理手段と、複数の前記コース情報の中から予め選択された前記コース情報を前記通信端末装置に提供するための情報提供手段と、ユーザによって携帯された前記通信端末装置の現在位置情報を取得する位置情報取得手段と、前記位置情報取得手段からの位置情報に基づいて特定された前記通信端末装置の存在する現在位置が、所定の位置であるときに、所定の条件を満たすスポットを、前記スポット情報の中からお勧めスポットとして選択するスポット情報選択手段と、選択されたお勧めスポットにおける前記スポット情報を推薦するための推薦情報を生成する情報生成手段と、を備え、前記情報提供手段が生成された前記推薦情報を前記通信端末装置に提供する構成を有している。
【００３４】
この構成を有する通信システムによれば、通信端末装置を携帯するユーザが出発地を出発し、通信端末装置が所定の位置に存在するときに、所定の条件を満たすお勧めスポットのスポット情報を通信端末装置に提供するので、例えば、予め定められたコースに沿って観光スポットなどを誘導している場合に、ユーザに対し当初の目的地とは異なるものの、当該スポット一定の地域に存在するあまり知られていないスポットをお勧めスポットとして情報提供することができる。
【００３５】
したがって、本発明は、上述したコースを有する一定の地域に存在する、あまり知られていないお勧めスポットのよい点をユーザに認知させることができるとともに、そのお勧めスポットにユーザを誘導することができ、ユーザにその地域における新たな発見を促すことによって当該地域の魅力を伝えることができるとともに、その地域の活性化を図ることができる。
【発明の効果】
【００３６】
本発明のサーバ装置、プログラム、及び、通信システムは、予め定められた目的地以外のお勧めスポットに関する情報をユーザに提供することによって、ユーザに付加価値の高い情報を提供することができる。
【図面の簡単な説明】
【００３７】
【図１】本発明に係る通信システムの第１実施形態における構成を示す構成図である。
【図２】コース情報の内容をモデル的に図示した説明図である。
【図３】所定の条件を満たすお勧めスポットが表示されることを説明するための説明図である。
【図４】所定の条件を満たすお勧めスポットが表示されることを説明するための説明図である。
【図５】第１実施形態の通信端末装置の構成を示す構成図である。
【図６】第１実施形態の情報提供サーバ装置の構成を示す構成図である。
【図７】第１実施形態における情報提供サーバ装置のユーザ管理データベースに記録されるデータの一例を示す図である。
【図８】第１実施形態における情報提供サーバ装置のコース情報データベースに記録されるデータの一例を示す図である。
【図９】第１実施形態における情報提供サーバ装置のスポット情報データベースに記録されるデータの一例を示す図である。
【図１０】第１実施形態における情報提供サーバ装置のスポット情報データベースに記録されるデータの一例を示す図である。
【図１１】提供される気象方法の内容を示す一例を示す図である。
【図１２】第１実施形態の情報提供サーバ装置において実行される動作を示すフローチャートである。
【図１３】第２実施形態の情報提供サーバ装置の構成を示す構成図である。
【図１４】第２実施形態における情報提供サーバ装置のスポット情報データベースに記録されるデータの一例を示す図である。
【図１５】第２実施形態の情報提供サーバ装置において実行される立ち寄り回数のカウントに関する処理の動作を示すフローチャート（その２）である。
【図１６】第２実施形態の情報提供サーバ装置におけるコメント情報の処理を示すフローチャートである。
【発明を実施するための形態】
【００３８】
以下、本発明の実施形態について、図面を参照しながら説明する。なお、以下の実施形態は、通信端末装置と、当該通信端末装置とネットワークを介して接続され情報提供サーバ装置と、を有する通信システムに対し、本発明に係るサーバ装置、プログラム及び通信システムを適用した場合の実施形態である。
【００３９】
［１］第１実施形態
はじめに、図１〜図１２の各図を用いて本発明に係る通信システム１の第１実施形態について説明する。
【００４０】
［１．１］通信システムの概要
まず、図１を参照して本実施形態における通信システム１の構成及び概要について説明する。
【００４１】
なお、図１は、本実施形態における通信システム１の構成を示すブロック図である。また、図が煩雑になることを防止するために、図１においては、一部のユーザのみを示している。すなわち、実際の通信システム１においては、表示するよりも多数の通信端末装置１０が存在している。
【００４２】
本実施形態の通信システム１は、ユーザが旅行等を行う場合に、予め設定された複数コースの中から１つのコースを選択して旅行の計画を行わせるとともに、旅行中に予め設定されたスポットとは異なるお勧めスポットＰに関する情報をユーザに提供するためのシステムである。
【００４３】
そして、通信システム１は、提供したこれらの情報に基づいて、例えば、観光地等の地元の人だけが知るお勧めのスポット（以下「お勧めスポット」という。）に、足を運んでもらうことによって、ユーザにとっては、当初の目的地とは異なるものの、当該スポット一定の地域に存在するあまり知られていないスポットの情報を入手することができ、旅行の満足度を向上させることができる。一方、観光地等のコミュニティにとっては、そのお勧めスポットにユーザを誘導することができ、ユーザにその地域における新たな発見を促すことによって当該地域の魅力を伝えることができるとともに、その地域の活性化を図ることができる。
【００４４】
具体的には、本実施形態の通信システム１は、図１に示すように、各々異なるユーザにより所持される複数の通信端末装置１０と、ネットワーク２０と、ネットワーク２０を介して各通信端末装置１０に通信接続される情報提供サーバ装置３０と、により構成される。
【００４５】
なお、ネットワーク２０は、例えば、携帯電話網を含む公衆電話回線網（以下、「長距離通信ネットワーク」という。）と、ＩＰ（Ｉｎｔｅｒｎｅｔ  Ｐｒｏｔｏｃｏｌ）ネットワークが相互接続されて構成されている。ただし、当該ネットワーク２０の構成は、これに限られない。
【００４６】
通信端末装置１０は、例えば、パーソナルコンピュータ、タブレット型情報端末装置、スマートフォン、又は、携帯用電話機であり、通信機能及びＧＰＳ（Ｇｌｏｂａｌ  Ｐｏｓｉｔｉｏｎｉｎｇ  Ｓｙｓｔｅｍ）機能を有し、かつ、ユーザによって携帯可能な通信端末装置１０である。そして、通信端末装置１０は、情報提供を受けるために、予め定められたユーザ毎に固有の識別情報（以下、「ユーザＩＤ」という。）を用いている。
【００４７】
また、この通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷ（Ｗｏｒｌｄ  Ｗｉｄｅ  Ｗｅｂ）システム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、情報提供サーバ装置３０とのデータ通信を行うブラウジング機能を有している。そして、通信端末装置１０は、ブラウジング機能を用いて、情報提供サーバ装置３０から受信したＸＭＬデータに基づいて、情報提供サーバ装置３０とのデータの授受を行いつつ、情報提供サーバ装置３０から提供される種々のデータ通信を行うことができるように構成されている。
【００４８】
また、通信端末装置１０は、ＧＰＳ衛星４０から送信された衛星信号（ＧＰＳ信号）を検出し、通信端末装置１０は、検出したＧＰＳ信号に基づいて自機の現在位置の座標値（例えば、緯度及び経度）を検出し、情報提供サーバ装置３０に提供することができるように構成されている。
【００４９】
そして、通信端末装置１０は、予め設定したルートと、自機が存在する現在位置に基づいて、情報提供サーバ装置３０からネットワーク２０を介して、
（１）お勧めスポットＰの情報、
（２）当該お勧めスポットＰの位置をユーザに閲覧可能に提供する構成、
を有している。
【００５０】
情報提供サーバ装置３０は、ネットワーク２０に接続されたコンピュータシステムであり、ネットワーク２０を介して複数の通信端末装置１０と通信接続されるともに、当該接続された各通信端末装置１０から情報を収集し、かつ、当該各通信端末装置１０に情報を提供するサーバ装置である。
【００５１】
この情報提供サーバ装置３０は、通信端末装置１０と連動し、当該情報提供サーバ装置３０自体が備えるデータベース（以下、「ＤＢ」という。）及び、当該情報提供サーバ装置３０の外部に設けられたＤＢを管理することによって、種々の情報をデータベースに登録するとともに、ＤＢに登録された情報の中から所定の条件を満たす情報を選択し、通信端末装置１０に選択された情報を提供することが可能な構成を有している。
【００５２】
具体的に、情報提供サーバ装置３０は、複数のコース情報の中からユーザにより選択されたコースに関するコース情報に基づいて、当該コースの周辺に存在し、所定の条件を満たすお勧めスポットＰのスポット情報を通信端末装置１０に提供する構成を有している。
【００５３】
［１．２］情報提供サーバ装置によって提供されるサービスの概要
次に、図２〜図４を参照して本実施形態における、情報提供サーバ装置３０が通信端末装置１０にスポット情報を提供するサービスの概要を説明する。なお、図２は、コース情報の内容をモデル的に図示した説明図であり、図３及び図４は、所定の条件を満たすお勧めスポットＰが表示されることを説明するための説明図である。
【００５４】
情報提供サーバ装置３０は、通信端末装置１０から送られるユーザ指示及びユーザＩＤに基づいて、予め登録された複数のコース情報の中からそのユーザに対応したコース情報を選択する。情報提供サーバ装置３０は、そのユーザの通信端末装置１０に対し、コース情報に基づいて特定されるコースが包含される地域の地図情報が登録されたデータベースに関する情報を提供する。
【００５５】
なお、地図情報は、情報提供サーバ装置３０自体が提供してもよいし、図示しないＤＢによって提供されてもよい。特に、図示しない地図情報が提供される場合には、情報提供サーバ装置３０は、該当するＤＢにアクセスする命令を通信端末装置１０に送り、アクセスしたいＵＲＬにより特定される地図情報をＤＢから取得するようにしてもよい。
【００５６】
なお、ユーザによって選択されるコースとしては、例えば、図２に示すように、出発地がＡ地、到着地がＤ地のコースが用いられる。特に、このコースはＡ地とＤ地との間に中間地であるＢ地とＣ地とを経由するルートを有している。また、図２は、当該コースの周辺に、ルート上のＢ地やＣ地の他に、ご当地が推奨するお勧めスポットＰが複数存在することを示している。
【００５７】
一方、情報提供サーバ装置３０は、コースを構成しているルート、又は当該ルートに関連する位置である周辺に存在するお勧めスポットＰに関するスポット情報が登録されているスポット情報ＤＢから所定の条件を満たすお勧めスポットＰのスポット情報を選択する処理を行っている。
【００５８】
本実施形態における所定の条件は、例えば、
（１）通信端末装置１０の存在する現在位置とお勧めスポットＰの位置との距離が予め設定された所定距離の範囲内であること、
（２）お勧めスポットＰ毎に予め定められた気象条件が取得された気象情報を含むこと、
（３）お勧めスポットＰの属性情報と、予め設定されたユーザが希望するお勧めスポットの属性情報とが一致すること、
の３条件である。
【００５９】
そして、情報提供サーバ装置３０は、選択されたお勧めスポットＰのスポット情報を通信端末装置１０に提供している。
【００６０】
例えば、図３に示すように、通信端末装置１０を携帯するユーザが、所定の位置、例えば、Ａ地からＢ地に移動している場合において、情報提供サーバ装置３０は、予め定められたタイミング（例えば１分）毎に、通信端末装置１０から送られる現在位置の現在位置情報と、各スポット情報に包含される各々のお勧めスポットＰの現在位置情報とに基づいて、通信端末装置１０とお勧めスポットＰとの間の距離を算出している。したがって、情報提供サーバ装置３０は、通信端末装置１０を携帯するユーザが、お勧めスポットＰ毎に予め定められた所定距離の範囲内に近づいたときに、そのお勧めスポットＰをスポット情報の中から選択することができるようになっている。
【００６１】
なお、図３に示す例では、通信端末装置１０を携帯するユーザがＸ１地を移動しているとき、ユーザの存在位置Ｘ１と３ヶ所のお勧めスポットＰ１、Ｐ２、Ｐ３との距離Ｌが、お勧めスポット後に予め設定された所定距離Ｌ１，Ｌ２，Ｌ３の範囲内であることを表している。
【００６２】
また、この場合には、情報提供サーバ装置３０は、お勧めスポットＰ１，Ｐ２，Ｐ３を選択する。ただし、情報提供サーバ装置３０は、その際に、Ｘ１とお勧めスポットＰとの間の距離に関する条件だけでなく、上述したお勧めスポットＰ毎に予め定められた気象条件が取得された気象情報を含むことという条件、及びお勧めスポットＰの属性情報と、ユーザが希望するお勧めスポットの属性情報とが一致することという条件についても判断することも可能である。そして、情報提供サーバ装置３０は、選択したお勧めスポットＰ１，Ｐ２，Ｐ３のスポット情報を、ネットワーク２０を介して通信端末装置１０に提供している。
【００６３】
一方、本実施形態の情報提供サーバ装置３０は、お勧めスポットに来訪するためなど、通信端末装置１０を携帯するユーザが、ルートからは若干外れてはいるが、当該ルートに関連する位置上に存在する位置（具体的に、お勧めスポットＰにいる）場合においても、他のお勧めスポットＰと通信端末装置１０を携帯するユーザとの距離Ｌが予め定められた所定距離の範囲内であれば、他のお勧めスポットＰのスポット情報を通信端末装置１０に提供する。
【００６４】
例えば、図４に示すように、通信端末装置１０を携帯するユーザが、ルートからやや離れた位置に存在するお勧めスポットＰ１にいるとする。そして、通信端末装置１０を携帯するユーザとお勧めスポットＰ４との距離Ｌが、予め定めたれた所定距離Ｌ１よりも短いとする。
【００６５】
この場合に、情報提供サーバ装置３０は、通信端末装置１０を携帯するユーザにお勧めスポットＰ４のスポット情報を提供する。
【００６６】
以上のように、情報提供サーバ装置３０は、ユーザにより携帯された通信端末装置１０が、所定の位置に存在するときに、所定の条件を満たすスポットをお勧めスポットＰとして、通信端末装置１０に情報提供する。なお、所定の位置は、具体的に、コースを構成する所定のルート上、又は当該ルートに関連する位置上である。より具体的には、所定のルート上、お勧めスポット上、又は、所定のルートとお勧めスポットＰとの間の位置等である。
【００６７】
なお、本実施形態の情報提供サーバ装置３０は、通信端末装置１０を携帯するユーザが、お勧めスポットＰ１に向かって、ルートとお勧めスポットＰ１の間を移動している最中においても、お勧めスポットＰ１以外のお勧めスポットＰとユーザとの距離Ｌが所定距離の範囲内であれば、お勧めスポットＰ１以外のお勧めスポットＰのスポット情報を通信端末装置１０に提供する。
【００６８】
［１．３］通信端末装置
次に、図５を参照して本実施形態の各通信端末装置１０の構成について説明する。なお、図５は、本実施形態の通信端末装置１０の構成を示す構成図である。
【００６９】
本実施形態の通信端末装置１０は、図５に示すように、通信制御部１１０と、現在位置検出部１２０と、表示部１３０と、表示制御部１４０と、操作部１５０と、データ処理部１６０と、ＲＯＭ／ＲＡＭ１７０と、を有している。また、通信端末装置１０は、全体を制御する端末管理制御部１８０を有している。なお、上記の各構成部は、バスＢによって相互に接続され、各構成要素間におけるデータの転送が実行される。
【００７０】
通信制御部１１０は、ネットワーク２０に接続される基地局５０を介して情報提供サーバ装置３０と通信チャネルを構築し、コンテンツデータの共有を行うための種々のデータの授受を行う。特に、本実施形態においては、下記の現在位置検出部１２０によって検出された、通信端末装置１０の現在位置に関する現在位置情報と、現在位置検出部１２０が現在位置を検出したときの日時を送信する。
【００７１】
現在位置検出部１２０は、情報提供アプリの指示の下、所定のタイミング毎に通信端末装置１０の現在位置を検出しつつ、当該現在位置示す現在位置情報を生成する。
【００７２】
例えば、現在位置検出部１２０は、アプリを立ち上げるタイミングにおいて、図１に示すＧＰＳ衛星４０の位置を認識しつつ、当該ＧＰＳ衛星４０から送信された衛星信号（ＧＰＳ信号）を検出する。そして、現在位置検出部１２０は、検出したＧＰＳ信号に基づいて自機の現在位置の座標値（例えば、緯度及び経度）を算出（すなわち、検出）し、当該座標値を現在位置情報として端末管理制御部１８０に提供する。
【００７３】
なお、通信端末装置１０が、電話機能を有している場合には、現在位置検出部１２０は、長距離無線システムにおいて用いられる、三点測量法、すなわち、電話に用いる電波を電話基地局において受信した方角と電波強度に基づいて自機の現在位置を検出してもよい。
【００７４】
表示部１３０は、例えば、液晶素子又はＥＬ（Ｅｌｅｃｔｒｏ  Ｌｕｍｉｎｅｓｃｅｎｃｅ）素子のパネルによって構成され、表示制御部１４０において生成された表示データに基づいて所定の画像を表示する。
【００７５】
表示制御部１４０は、表示部１３０に表示させるために必要な表示データを生成するようになっており、生成された表示データを当該表示部１３０に出力する。
【００７６】
操作部１５０は、各種の確認ボタン、各操作指令を入力する操作ボタン、テンキーなどの多数のキー及びタッチパネルにより構成され、各操作を行う際に用いられるようになっている。
【００７７】
データ処理部１６０は、情報提供サーバ装置３０によって指定された地図情報が登録された地図情報ＤＢから提供された地図情報を表示部１３０に表示させる処理や、表示された地図上におけるお勧めスポットＰの位置を示す目印を表示部１３０に表示させる処理を行っている。
【００７８】
また、データ処理部１６０は、操作部１５０の操作によって、表示部１３０に表示されたお勧めスポットＰの中から任意の一つを選択する操作が行われた場合、選択されたお勧めスポットＰのホームページのＵＲＬにアクセスし、ホームページを表示部１３０に表示させている。
【００７９】
ＲＯＭ／ＲＡＭ１７０には、メモリ機能を有し、通信端末装置１０として機能するための各種の制御プログラムが記録されている。また、このＲＯＭ／ＲＡＭ１７０は、現在位置検出／記録制御プログラムが記録されているとともに、各種の処理が実行される際のワークエリアとして用いられる。
【００８０】
端末管理制御部１８０は、主に中央演算処理装置（ＣＰＵ）によって構成されるとともに、キー入力ポート、表示制御ポート等の各種入出力ポートを含み、通信端末装置１０の全般的な機能を総括的に制御する。
【００８１】
［１．４］情報提供サーバ装置
次に、図６〜図１１の各図を用いて本実施形態の情報提供サーバ装置３０の構成について説明する。
【００８２】
なお、図６は、本実施形態の情報提供サーバ装置３０の構成を示す構成図である。また、図７は、本実施形態におけるユーザ管理ＤＢ３３１に記録されるデータの一例を示す図であり、図８は、本実施形態におけるコース情報ＤＢ３３２に記録されるデータの一例を示す図であり、図９及び図１０は、本実施形態におけるスポット情報ＤＢ３３３に記録されるデータの一例を示す図である。さらに、図１１は、情報提供サーバ装置３０が取得する気象情報のデータの一例を示す図である。
【００８３】
本実施形態の情報提供サーバ装置３０は、図６に示すように、通信制御部３１０と、ＲＯＭ／ＲＡＭ３２０と、各種ＤＢを有する記録装置３３０と、データ処理部３４０と、情報提供サーバ装置３０の各部を統合制御するサーバ管理制御部３５０と、を有する。上記の各部は、バスＢによって相互に接続され、各構成要素間におけるデータの転送が実行される。
【００８４】
サーバ管理制御部３５０は、主に中央演算処理装置（ＣＰＵ）によって構成されるとともに、プログラムを実行することによって、通信制御部３１０の動作管理、スポット情報の管理を含む記録装置３３０の管理及び制御を行う。
【００８５】
ＲＯＭ／ＲＡＭ３２０には、情報提供サーバ装置３０の駆動に必要な各種のプログラムが記録されている。そして、ＲＯＭ／ＲＡＭ３２０は、各種の処理が実行される際のワークエリアとして用いられる。
【００８６】
通信制御部３１０は、所定のネットワークインターフェースであり、通信端末装置１０と通信チャネルを構築し、情報提供サービスの提供を実現するために種々のデータの授受を行う。この通信制御部３１０は、通信端末装置１０と連動し、通信端末装置１０の現在位置情報を取得する位置情報取得手段として機能する。また、通信制御部３１０は、外部から提供される気象情報のデータを取得する気象情報取手段としても機能する。そして、通信制御部３１０は、データ処理部３４０によって選択されたお勧めスポットＰのスポット情報を、ネットワーク２０を介して通信端末装置１０に配信する情報提供手段として機能する。
【００８７】
記録装置３３０は、ＨＤＤにより構成され、その記録領域内にユーザ管理ＤＢ３３１、コース情報ＤＢ３３２、及びスポット情報ＤＢ３３３が構築される。
【００８８】
ユーザ管理ＤＢ３３１は、各ユーザを管理するための各種情報がデータとして格納されるデータベースである。例えば、ユーザ管理ＤＢ３３１には、図７に示すように、
（１）各ユーザに対応するユーザＩＤと、
（２）ユーザＩＤにより特定されるユーザの性別と、
（３）ユーザＩＤにより特定されるユーザの年代と、
（４）ユーザＩＤにより特定されるユーザの居住地と、
が対応付けて登録される。
【００８９】
図７に示したユーザ管理ＤＢ３３１では、例えば、ユーザＩＤが「１０１」のユーザは、性別が「女」で、年代が「２０代」で、居住地が「東京」である。
【００９０】
コース情報ＤＢ３３２は、ユーザが旅行等を行うコースの各種情報が事前にデータとして格納されたデータベースである。例えば、コース情報ＤＢ３３２には、図８に示すように、
（１）各コースに対応するコースＩＤと、
（２）コースＩＤにより特定される出発地の位置情報と、
（３）コースＩＤにより特定される到着地の位置情報と、
（４）コースＩＤにより特定されるコース情報と、
が対応付けて登録される。
【００９１】
図８に示したコース情報ＤＢ３３２では、例えば、コースＩＤが「１００１」のコースでは、出発地の位置が、「緯度：１２．３４５」、「経度：１２３．４５６」として特定されている。一方到着地の位置は、「緯度：２３．４５６」、「経度：１２３．３２１」として特定されている。
【００９２】
また、コースＩＤが１００１のコースにおけるコース情報は、例えば、出発地と到着地との間に存在する中間地が緯度と経度とにより特定されて記録される。
【００９３】
スポット情報ＤＢ３３３は、現実空間に存在する施設等に関する情報がデータとして事前に登録されているデータベースである。例えば、スポット情報ＤＢ３３３には、図９及び図１０に示す情報が登録されている。なお、図９及び図１０では、紙面の関係上、図９（Ａ）、図９（Ｂ）及び図１０に項目を分けた形態のデータベースとしてスポット情報ＤＢ３３３を示しているが、実際のスポット情報ＤＢ３３３は、すべての項目をまとめた１つのデータベースとして構築される。
【００９４】
スポット情報ＤＢ３３３は、例えば、図９に示すように、
（１）お勧めスポットＰ毎に付与された固有のスポットＩＤと、
（２）お勧めスポットＰの名称と、
（３）お勧めスポットＰのホームページのＵＲＬと、
（４）お勧めスポットＰの位置情報（緯度及び経度）、及び所定範囲
（５）お勧めスポットＰの属性情報（開場期間、開場日、開場時刻、カテゴリ）
が対応付けて記録される。
【００９５】
例えば、図９に示す例の場合には、スポットＩＤが「１０００１」のお勧めスポットＰでは、名称「葦毛崎展望台」、ホームページのＵＲＬ「ｈｔｔｐ：／／ｗｗｗ．・・・」、位置情報「緯度（北緯）：４０．５２０４から２０００ｍ、経度（東経）：１４１．５７３８から２０００ｍ」、開場期間「３／１〜１１／３１」、開場日「月、火、水、木、金、土、日」、開場時間「６：００〜１９：００」、及びカテゴリ「国立公園」が対応付けて記録されている。
【００９６】
なお、お勧めスポットＰが独自のホームページのＵＲＬ「ｈｔｔｐ：／／ｗｗｗ．・・・」を有しない場合、ホームページのＵＲＬの欄には、例えば、そのお勧めスポットＰに関して説明した観光協会等のホームページのＵＲＬを記録することもできる。
【００９７】
また、スポット情報ＤＢ３３３は、例えば、図１０に示すように、各お勧めスポットＰを選択する次の（１）〜（６）の気象条件が、スポットＩＤに関連づけられて登録されている。
（１）選択する場合の天候状況の条件
（２）選択する場合の気温の条件
（３）選択する場合の体感温度の条件
（４）選択する場合の湿度の条件
（５）選択する場合の降雨量の条件
（６）選択する場合の紫外線量の条件
【００９８】
例えば、図１０において、スポットＩＤが「１０００１」のお勧めスポットＰ（名称は、「葦毛崎展望台」である。）では、天候状況「晴,晴のち曇,晴時々曇,晴一時雨,曇のち晴」、気温「１２℃以上」、体感温度「１０℃以上」、湿度「８０％以下」、降雨量「０．５ｍｍ以下」、及び紫外線量「きわめて強い以下」が対応付けて登録されている。
【００９９】
データ処理部３４０は、各種のアプリケーションを実行することにより、各種の機能を実現する。具体的には、データ処理部３４０は、ＤＢ管理部３４１と、スポット情報選択部３４２と、情報生成部３４３と、を少なくとも含む。
【０１００】
ＤＢ管理部３４１は、通信制御部３１０を介して情報を取得したり、情報提供サーバ装置３０に直接入力されたりした、ユーザ情報、コース情報及びスポット情報を、ユーザ管理ＤＢ３３１、コース情報ＤＢ３３２及びスポット情報ＤＢ３３３にそれぞれ登録する。
【０１０１】
なお、例えば、ＤＢ管理部３４１は、本発明におけるコース情報ＤＢ管理手段及びスポット情報ＤＢ管理手段を構成する。また、スポット情報選択部３４２は、本実施形態におけるスポット情報選択手段を構成し、情報生成部３４３は、情報生成手段を構成する。
【０１０２】
スポット情報選択部３４２では、通信端末装置１０から情報提供アプリが立ち上げられた旨の情報を受けたときに、スポット情報ＤＢ３３３を検索し、所定の条件を満たすお勧めスポットＰのスポット情報を選択する。具体的に、情報提供サーバ装置３０が通信端末装置１０が存在する現在位置、及び、その時点における日時に関する情報を受け、通信端末装置１０の存在する現在位置が、出発地から出発した後に所定のルート上、所定のルートと前記お勧めスポットＰとの間、又はお勧めスポットＰ上に存在するときに、スポット情報ＤＢ３３３を検索し、所定の条件を満たすお勧めスポットＰのスポット情報を選択する。
【０１０３】
本実施形態における所定の条件は、
（１）通信端末装置１０の存在する現在位置とお勧めスポットＰの位置との距離が予め設定された所定距離の範囲内であること、
（２）お勧めスポットＰ毎に予め定められた気象条件が取得された気象情報を含むこと、
（３）スポットの属性情報と、予め設定されたユーザが希望するスポットの属性情報とが一致すること、
の３条件である。
【０１０４】
なお、各条件を満たすお勧めスポットＰに関するスポット情報を情報提供サーバ装置３０が通信端末装置１０に提供する場合の詳細については、後述する。
【０１０５】
情報生成部３４３は、スポット情報選択部３４２によって選択されたお勧めスポットＰのスポット情報を生成する。生成された情報には、例えば、スポット情報ＤＢ３３３に登録されたお勧めスポットＰの位置情報、及びお勧めスポットＰのホームページのＵＲＬが含まれている。
【０１０６】
通信制御部３１０は、情報生成部３４３により生成された情報を通信端末装置１０に送信する。上述したように、情報提供サーバからの情報を受信した通信端末装置１０の表示部１３０には、表示された地図上に、選択されたお勧めスポットＰが存在する位置に目印が表示される。また、通信端末装置１０の表示部１３０に表示された目印がユーザの操作部１５０の操作により選択されると、選択されたお勧めスポットＰのホームページが表示部１３０に表示される。
【０１０７】
［１．５］所定条件を満たすスポット情報が選択される具体的な内容
以下に、所定条件を満たすお勧めスポットＰに関するスポット情報を情報提供サーバ装置３０が通信端末装置１０に提供する場合についてそれぞれ説明する。
【０１０８】
まず、「（１）通信端末装置１０の存在する現在位置とお勧めスポットＰの位置との距離が予め設定された所定距離の範囲内であること」という条件に基づいて、当該条件を満たすお勧めスポットＰのスポット情報を選択することについて、再度図３を参照して説明する。
【０１０９】
ユーザが通信端末装置１０を携帯して、出発地と到着地との間を移動する場合、情報提供サーバ装置３０は、通信端末装置１０の現在位置情報及びその時の日時の情報を一定の時間毎、例えば数秒毎に取得する。情報提供サーバ装置３０において、スポット情報選択部３４２は、お勧めスポットＰに関する情報が登録されているスポット情報ＤＢ３３３を検索し、通信端末装置１０の現在位置とお勧めスポットＰの距離が予め定められた所定距離の範囲に含まれているものを選択する。
【０１１０】
その際、スポット情報選択部３４２は、通信端末装置１０の現在位置情報に基づいて、通信端末装置１０の現在位置の情報とスポット情報に登録された各お勧めスポットＰの現在位置情報とに基づいて両者の距離を算出する。また、所定距離は、スポット情報ＤＢ３３３に登録されている各お勧めスポットＰの位置情報の欄に登録されている距離が用いられる。
【０１１１】
例えば、通信端末装置１０を携帯しているユーザが、現実空間においてルート上のＸ１の地点を移動している最中であるとする。現実空間上では、Ｘ１の地点を所定距離の範囲に含むお勧めスポットＰとして、例えば、Ｐ１，Ｐ２，Ｐ３の３ヶ所のお勧めスポットＰが存在する。その場合、スポット情報選択部３４２は、通信端末装置１０のＸ１の現在位置情報とスポット情報ＤＢ３３３の各お勧めスポットＰのスポット情報内の位置情報とに基づいて距離を算出し、Ｘ１とお勧めスポットＰとの距離が所定距離の範囲内に存在するＰ１，Ｐ２，Ｐ３の３ヶ所のお勧めスポットＰを選択する。
【０１１２】
ただし、各お勧めスポットＰは、開場している時期、曜日及び時刻が、それぞれ異なる。そのため、通信端末装置１０から送られた日時に関する情報と、各お勧めスポットＰが開場している時期、曜日及び時刻に関する属性の情報とを対比し、通信端末装置１０から送られた日時に関する情報が、開場している時期、曜日及び時刻に関する属性を満たすお勧めスポットＰのみを選択する。
【０１１３】
具体的に、図９に示したスポット情報ＤＢ３３３を用いて、スポットＩＤが「１０００１」の「葦毛崎展望台」が選択される場合について説明する。
【０１１４】
スポットＩＤが「１０００１」の「葦毛崎展望台」では、緯度が「４０．５２０４」、経度が「１４１．５７３８」の位置に存在する。また、「葦毛崎展望台」では、緯度方向及び経度方向の両方について、通信端末装置１０と「葦毛崎展望台」との距離が２０００ｍの範囲内であるときに選択されるという条件を有している。
【０１１５】
ただし、「葦毛崎展望台」は、図９に示すように、「３／１〜１１／３１」の期間で、「６：００〜１９：００」の間だけ開場している。そのため、通信端末装置１０を携帯するユーザが、「３／１〜１１／３１」の期間で、「６：００〜１９：００」の間に「葦毛崎展望台」との距離が２０００ｍの範囲内に近づいた場合には、「葦毛崎展望台」は選択される。しかし、「３／１〜１１／３１」の期間を外れている場合や、「６：００〜１９：００」の時間帯以外の時間帯に、「葦毛崎展望台」との距離が２０００ｍの範囲内に近づいたとしても、「葦毛崎展望台」は選択されない。
【０１１６】
次に「（２）お勧めスポット毎に予め定められた気象条件が気象情報取得手段により取得された気象情報を含むこと」という条件に基づいて、当該条件を満たすお勧めスポットＰのスポット情報を選択することについて説明する。
【０１１７】
情報提供サーバ装置３０は、コースが含まれる地域における気象情報の提供を受けている。情報提供サーバ装置３０が提供される気象情報の内容を図１１に示す。
【０１１８】
なお、情報提供サーバ装置３０は、気象情報を提供することが可能な組織等が所有するデータベースから気象情報の提供を受ける。当該組織等は、気象情報を収集し、収集した気象情報を登録するためのデータベースを単数又は複数有しており、情報提供サーバ装置３０は、単数又は複数のデータベースから気象情報の提供を受ける。
【０１１９】
この図１１に示すように、気象情報は、「天候状況」「気温」「湿度」「降雨量」及び「紫外線指数」の分類に分けられた情報を含んでいる。
【０１２０】
「天候状況」は、「晴」、「曇」、「雨」及び「雪」の指数に分類されている。これらの指数は、更に、詳細に分類された天候状況を含んでいる。例えば、「晴」においては、「晴のち曇」、「晴時々曇」、「晴一時雨」、「晴のち雪」、「晴時々雪」及び「晴一時雪」が晴に含まれている。「曇」、「雨」及び「雪」についても、図１１の「汎用指数例」の欄に示された天候状況がそれぞれ含まれている。
【０１２１】
「気温」及び「体感温度」については、１℃刻みに情報がそれぞれ提供される。「湿度」については、１０％刻みに情報が提供される。また、「降雨量」については、０．５ｍｍ刻みに情報が提供される。
【０１２２】
そして、「紫外線指数」については、「弱い」、「やや強い」、「強い」、「非常に対よい」及び「きわめて強い」といった指数が情報として提供される。
【０１２３】
情報提供サーバ装置３０におけるスポット情報選択部３４２は、通信端末装置１０から日時の情報が送られてきた時点における、気象情報と、スポット情報ＤＢ３３３における各お勧めスポットＰの気象条件とを対比し、提供された気象情報が、お勧めスポットＰの気象条件を満足する場合に、そのお勧めスポットＰを選択する。
【０１２４】
図１０を参照し、気象情報に基づいて、あるお勧めスポットＰが選択される場合を説明する。例えば、提供された気象情報によれば、天候状況が「晴」、気温が「５℃」、体感温度が「０℃」、湿度が「２０％」、降雨量が「０ｍｍ」、紫外線量が、「強い」であるとする。
【０１２５】
その場合、スポットＩＤが「１０００１」の「葦毛崎展望台」、スポットＩＤが、「１０００２」の「八戸市水産科学館マリエント」、及びスポットＩＤが「１０００３」の「八食センター」は、いずれも、「天候状況」、「湿度」、「降雨量」及び「紫外線量」に関する条件を満足する。しかしながら、「気温」及び「体感温度」の条件については、スポットＩＤが、「１０００２」の「八戸市水産科学館マリエント」、及びスポットＩＤが「１０００３」の「八食センター」は、満足するが、スポットＩＤが「１０００１」の「葦毛崎展望台」は満たしていない。
【０１２６】
そのため、通信端末装置１０を携帯するユーザが、「八戸市水産科学館マリエント」の２０００ｍｍ以内に近づいたとき、及び「八食センター」の１５００ｍｍ以内に近づいたときには、「八戸市水産科学館マリエント」と「八食センター」とは、選択される。しかしながら、通信端末装置１０を携帯するユーザが、「葦毛崎展望台」の２０００ｍｍ以内に近づいた場合でも、「葦毛崎展望台」は選択されない。
【０１２７】
なお、「体感温度」は、風力や湿度等の影響によって、実際の気温とは異なることがある。本実施形態において、取得する気象情報には、「気温」に加えて「体感温度」が含まれているため、情報提供サーバ装置３０は、「体感温度」に応じた最適なお勧めスポットに関するスポット情報を通信端末装置１０に提供することができる。
【０１２８】
次に、「（３）お勧めスポットＰの属性と、予め設定されたユーザが希望する勧めスポットＰの属性とが一致すること」という条件に基づいて、当該条件を満たすお勧めスポットＰのスポット情報を選択することについて説明する。
【０１２９】
例えば、ユーザの観光の目的がご当地お勧めの料理を食すグルメツアーであったとする。その場合、推奨すべきお勧めスポットＰは、ユーザに飲食物を提供することが可能な施設ということになる。この条件を満たすお勧めスポットＰの選択は、スポット情報ＤＢ３３３に登録された各お勧めスポットＰの情報の属性に基づいて行われる。具体的には、属性のうちカテゴリが「飲食店」というお勧めスポットＰが選択される。
【０１３０】
通信端末装置１０を携帯しているユーザが、現実空間においてルート上のＸ１の地点を移動している最中であるとする。現実空間上では、Ｘ１の地点から所定距離の範囲に含まれているお勧めのお勧めスポットＰは、上述したように、例えば、Ｐ１，Ｐ２，Ｐ３の３ヶ所のお勧めスポットＰが存在したとする。Ｐ１，Ｐ２，Ｐ３の３ヶ所のお勧めスポットＰのうち、属性情報におけるカテゴリの項目に登録された情報が「飲食店」であるお勧めスポットＰが、例えば、Ｐ２だけであったとする。その場合、スポット情報選択部３４２は、通信端末装置１０のＸ１の現在位置情報、スポット情報ＤＢ３３３の各お勧めスポットＰのスポット情報内の位置情報、及びスポット情報ＤＢ３３３の各お勧めスポットＰのスポット情報内の属性情報に基づいてＰ２のお勧めスポットＰを選択する。
【０１３１】
図９を参照して、具体的に説明する。
【０１３２】
スポットＩＤが「１０００１」の「葦毛崎展望台」は、カテゴリが「国立公園」、スポットＩＤが「１０００２」の「八戸市水産科学館マリエント」は、カテゴリが「水産科学館」である。そのため、通信端末装置１０を携帯しているユーザが、現実空間において、「葦毛崎展望台」や「八戸市水産科学館マリエント」の２０００ｍｍ以内に近づいた場合でも、「葦毛崎展望台」及び「八戸市水産科学館マリエント」は選択されない。
【０１３３】
一方、スポットＩＤが「１０００３」の「八食センター」は、カテゴリが「食品市場」であるとともに「飲食店」となっている。そのため、通信端末装置１０を携帯しているユーザが、現実空間において、「八食センター」の１５００ｍｍ以内に近づくと、「八食センター」は選択される。
【０１３４】
［１．４］情報提供サーバ装置の動作
次に、図１２を参照しながら本実施形態において、通信端末装置１０と連動しつつ作動する情報を通信端末装置１０に提供する情報提供サーバ装置３０の処理について説明する。なお、図１２は、本実施形態の情報提供サーバ装置３０において実行される処理を示すフローチャートである。
【０１３５】
まず、情報提供サーバ装置３０は、通信制御部３１０を介して、通信端末装置１０にて情報提供アプリが起動したことを検出すると（ステップＳ１０１）、コース情報ＤＢ３３２からコース情報を読み込む（ステップＳ１０２）。読み込まれるコース情報は、出発地の位置情報、到着地の位置情報、及び出発地と到着地との間に存在する中間地の位置を含むコース情報である。
【０１３６】
次いで、情報提供サーバ装置３０は１分間の待機を行い（Ｓ１０３）、通信制御部３１０を介して気象情報を読み込む（ステップＳ１０４）。読み込む気象情報は、図１１に示したように、「天候状況」「気温」「湿度」「降雨量」及び「紫外線指数」である。
【０１３７】
次いで、情報提供サーバ装置３０は、通信端末装置１０から送信される、通信端末装置１０の現在位置の現在位置情報を取得し、通信端末装置１０の現在位置を特定する（Ｓ１０５）。取得する通信端末装置１０の現在位置情報は、通信端末装置１０の現在位置における緯度と経度である。
【０１３８】
次いで、情報提供サーバ装置３０は、特定された通信端末装置１０の現在位置に基づいて、終了するかどうかの判断を行う（Ｓ１０６）。具体的に、通信端末装置１０の現在位置が、出発地と到着地との間であり、通信端末装置１０が存在する現在位置と到着地との間に、情報提供すべきお勧めスポットＰが存在する場合には、そのまま続行する。一方、通信端末装置１０の現在位置が、到着地に位置する場合に終了する。
【０１３９】
処理を続行する場合、スポット情報ＤＢ３３３を検索し、通信端末装置１０が位置する現在位置との関係で、所定の条件を満たすお勧めスポットＰのスポット情報を選択する（Ｓ１０７）。スポット情報を選択するための条件は、（１）通信端末装置１０の存在する現在位置とお勧めスポットＰの位置との距離が予め設定された所定距離の範囲内であること、（２）お勧めスポット毎に予め定められた気象条件が気象情報取得手段により取得された気象情報を含むこと、及び（３）お勧めスポットＰの属性と、予め設定されたユーザが希望するお勧めスポットＰの属性とが一致することの３条件である。
【０１４０】
次いで、選択されたお勧めスポットＰのスポット情報を読み出し（Ｓ１０７）、その情報に基づいて、通信端末装置１０に送信すべき情報を生成する（Ｓ１０８）。生成された情報は、スポット情報ＤＢ３３３に登録されたスポット情報の中の位置情報（緯度と経度）と、お勧めスポットＰのホームページのＵＲＬである。
【０１４１】
そして、情報提供サーバ装置３０は、通信制御部３１０及びネットワーク２０を介し、通信端末装置１０に、情報生成部３４３によって生成されたお勧めスポットＰに関する情報を送信する（Ｓ１１０）。
【０１４２】
当該情報提供サーバ装置３０では、以上のステップのうち、１分間待機するステップ（Ｓ１０３）から情報の送信のステップ（Ｓ１１０）が繰り返し実行される。
【０１４３】
通信端末装置１０においては、情報提供サーバ装置３０から送信されたお勧めスポットＰに関する情報に基づいて、表示部１３０に表示された地図上に、目印が、そのお勧めスポットＰの存在位置に対応する位置に表示される。また、通信端末装置１０の操作部１５０がユーザによって操作されて、ある目印が選択された場合、その目印に対応するお勧めスポットＰのホームページが表示部１３０に表示される。
【０１４４】
［２］第２実施形態
次に、図１３〜図１６の各図を参照して本発明に係る通信システムの第２実施形態について説明する。
【０１４５】
第２実施形態の通信システムは、第１実施形態の通信システムにおいて、お勧めスポットＰに立ち寄ったかどうかを判定し、その結果を処理する機能、及び通信システムを利用したユーザにから寄せられたコメント情報を処理する機能を有する点に特徴がある。この第２実施形態の通信システムは、第１実施形態の通信システムが備える構成及び機能はすべて備えている。
【０１４６】
そのため、第２通信システムにおける、第１実施形態の通信システムと同様の構成及び機能についての詳細な説明は省略し、第２通信システムに特有の構成、機能及び作用効果についてのみ詳細に説明する。
【０１４７】
［２．１］通信システムの概要
第２実施形態における通信システム２の構成は、第１実施形態の通信システムの構成と同様である。すなわち、本実施形態の通信システム２は、ユーザが旅行等を行う場合に、予め設定された複数コースの中から１つのコースを選択して旅行している最中に、予め設定されたスポットとは異なるお勧めスポットＰに関する情報をユーザに提供するためのシステムである。
【０１４８】
具体的には、本実施形態の通信システム２は、第１実施形態と同様に、各々異なるユーザにより所持される複数の通信端末装置１０と、ネットワーク２０と、ネットワーク２０を介して各通信端末装置１０に通信接続される情報提供サーバ装置３１と、により構成される。
【０１４９】
本実施形態の通信システム２では、情報提供サーバ装置３１は、通信端末装置１０を携帯するユーザがお勧めスポットＰに立ち寄ったかどうかを、通信端末装置１０の現在位置情報に基づいて判定している。具体的に、情報提供サーバ装置３１は、通信端末装置１０が移動状態にあるか停止状態にかるかを判定するための構成と、停止状態がお勧めスポットＰで発生したかどうかを判定するための構成とを有している。
【０１５０】
情報提供サーバ装置３１は、通信端末装置１０から送信される現在位置情報が予め設定された所定の時間を超えても変化がない場合に、通信端末装置１０が停止状態にあると判定する。一方、情報提供サーバ装置３１は、通信端末装置１０から送信される現在位置情報が予め設定された所定の時間内に変化がある場合に、通信端末装置１０が移動状態にあると判定する。
【０１５１】
また、情報提供サーバ装置３１は、通信端末装置１０の現在位置情報と、スポット情報ＤＢ３３３に登録されている各お勧めスポットＰの位置情報とに基づいて、通信端末装置１０の停止状態が、お勧めスポットＰで発生している場合に、通信端末装置１０を携帯するユーザがお勧めスポットＰに立ち寄ったと判断している。
【０１５２】
本実施形態の通信システム２では、上述した手法によって、ユーザによってお勧めスポットＰに立ち寄よられたか否か、立ち寄られた場合には、お勧めスポットＰ毎に立ち寄られた回数をカウントし、その後のお勧めスポットＰの情報提供に反映させている。
【０１５３】
すなわち、当該通信システム２では、一定の期間、ユーザによって立ち寄られた回数をお勧めスポットＰ毎に集計し、立ち寄り回数が多いお勧めスポットＰのスポット情報だけを、通信端末装置１０に提供する。
【０１５４】
また、本実施形態の通信システム２では、当該通信システム２を利用したユーザが通信端末装置１０を介して送信されたコメントを処理するための構成を備えている。
【０１５５】
すなわち、通信システム２を構成する情報提供サーバ装置３１は、通信端末装置１０を介してユーザから送られたコメント情報をお勧めスポットＰ毎にスポット情報ＤＢ３３３に登録するコメント情報登録手段を備えている。スポット情報ＤＢ３３３に登録されたコメント情報は、次の２つの処理に用いられる。
【０１５６】
（１）１つ目の処理は、通信端末装置１０を介して送信されたユーザからの要求に応じ、指定されたお勧めスポットＰのコメントをユーザに対して送信することである。
【０１５７】
具体的に、情報提供サーバ装置３１において、スポット情報選択部３４２は、通信端末装置１０からの要求に基づくお勧めスポットＰのスポット情報を選択し、情報生成部３４３は、選択されたお勧めスポットＰのコメント情報をスポット情報ＤＢ３３３から読み出す。そして、情報提供部が、読み出されたコメント情報を通信端末装置１０に提供する。
【０１５８】
（２）２つ目の処理は、コメントの内容を集計し、お勧めスポットＰのスポット情報を通信端末装置１０に送信するかどうかを判定し、スポット情報を提供するサービスに反映させることである。
【０１５９】
具体的に、登録されたコメント情報を内容に応じた所定の分類毎に分け、分類別にスポット情報の数をお勧めスポットＰ毎にカウントする。そして、予め設定された所定の分類に含まれる、コメントカウント手段によりカウントされたスポット情報の数が、予め定められた所定の範囲に含まれる場合に、スポット情報選択部３４２は、そのお勧めスポットＰを選択する。
【０１６０】
［２．２］通信端末装置
次に、本実施形態の通信端末装置１０の構成について説明する。
【０１６１】
第２実施形態の通信端末装置１０の構成は、第１実施形態の通信端末装置１０と同様であり、図５に示すように、通信制御部１１０と、現在位置検出部１２０と、表示部１３０と、表示制御部１４０と、操作部１５０と、データ処理部１６０と、ＲＯＭ／ＲＡＭ１７０と、を有している。また、通信端末装置１０は、全体を制御する端末管理制御部１８０を有している。なお、上記の各部は、バスＢによって相互に接続され、各構成要素間におけるデータの転送が実行される。
【０１６２】
この通信端末装置１０では、通信制御部１１０が、第１実施形態の通信端末装置１０と同様に、現在位置検出部１２０によって検出された、通信端末装置１０の現在位置に関する現在位置情報と、現在位置検出部１２０が現在位置を検出したときの日時を送信する。また、通信制御部１１０は、操作部１５０の操作によって作成されたコメント情報を情報提供サーバ装置３１に対して送信する。
【０１６３】
なお、第２実施形態の通信端末装置１０の構成及びその機能は、第１実施形態の通信端末装置１０と同様なので、その詳細な説明はここでは所略する。
【０１６４】
［２．３］情報提供サーバ装置
次に、図１３及び図１４を参照しながら第２実施形態の情報提供サーバ装置３１の構成について説明する。なお、図１３は、本実施形態の情報提供サーバ装置３１の構成を示す構成図である。図１４は、本実施形態におけるスポット情報ＤＢ３３３に記録されるデータの一例を示す図である。
【０１６５】
本実施形態の情報提供サーバ装置３１は、第１実施形態と同様に、通信制御部３１０と、ＲＯＭ／ＲＡＭ３２０と、各種ＤＢを有する記録装置３３０と、データ処理部３４０と、情報提供サーバ装置３０の各部を統合制御するサーバ管理制御部３５０と、を有する。上記の各部は、バスＢによって相互に接続され、各構成要素間におけるデータの転送が実行される。ただし、本実施形態のデータ処理部３４０は、第１実施形態の機能に加えて本実施形態固有の機能を有している。当該固有の機能については後述する。
【０１６６】
通信制御部３１０は、本発明の情報提供手段、気象情報取得手段及び位置情報提供手段を構成する。
【０１６７】
記録装置３３０は、その記録領域内にユーザ管理ＤＢ３３１、コース情報ＤＢ３３２、及びスポット情報ＤＢ３３３が構築される。
【０１６８】
本実施形態のユーザ管理ＤＢ３３１及びコース情報ＤＢ３３２に登録される情報は、図７及び図８に示した第１実施形態のユーザ管理ＤＢ３３１及びコース情報ＤＢ３３２と同様なので、その説明はここでは省略する。
【０１６９】
一方、本実施形態におけるスポット情報ＤＢ３３３は、図９及び図１０に示した第１実施形態のスポット情報ＤＢ３３３に登録される各情報に加えて、図１４に示すように、立ち寄りの回数、及びユーザのコメント情報がスポットＩＤに対応づけて登録される。コメント情報は、ユーザによって送信されたコメントのテキストデータや所定内容のコメントがカウントされた結果を含んでいる。また、コメント情報としては、予め設定された評価をポイントに変換した情報（例えば、「いいね」という評価を５ポイントに変換した情報）及びその情報がカウントされた回数を登録してもよい。
【０１７０】
例えば、図１４に示す例の場合、スポットＩＤが「１０００１」の「葦毛崎展望台」は、あるユーザによって１回立ち寄られ、当該ユーザによって「眺めがよい」とのコメント及び予め設定された種類のコメントが送られた回数が登録されている。
【０１７１】
本実施形態のデータ処理部３４０は、第１実施形態と同様に、ＤＢ管理部３４１と、スポット情報選択部３４２と、情報生成部３４３とを含む。そして、本実施形態のデータ処理部３４０は、状態判定部３４５、立ち寄り判定部３４６、データ集計部３４７及びコメント内容判定部３４８を備えている。
【０１７２】
なお、ＤＢ管理部３４１は、第１実施形態と同様に、本発明のコース情報ＤＢ管理手段及びスポット情報管理手段を構成し、スポット情報選択部３４２は本発明のスポット情報選択手段を構成し、情報性生成部３４４は本発明の情報生成手段を構成する。
【０１７３】
本実施形態において、ＤＢ管理部３４１は、さらに、立ち寄り回数登録手段及びコメント情報登録手段を構成する。また、状態判定部３４５は、本発明の状態判定手段を構成し、立ち寄り判定部３４６は、本発明の立ち寄り判定手段を構成する。そして、データ集計部３４７は、本発明の立ち寄り回数カウント手段及びコメントカウント手段を構成し、コメント内容判定部３４８は、コメント内容判定手段を構成する。
【０１７４】
ＤＢ管理部３４１を構成する寄り回数登録手段は、データ集計部３４７を構成する立ち寄り回数カウント手段によってお勧めスポットＰ毎にカウントされた、ユーザがお勧めスポットＰに立ち寄った回数をスポット情報ＤＢ３３３に登録する。また、ＤＢ管理部３４１を構成するコメント情報登録手段は、通信端末装置１０を介して送信されたユーザからのコメントをお勧めスポットＰ毎にスポット情報ＤＢ３３３に登録する。コメント情報登録手段は、例えば、通信端末装置１０から送信されるテキストデータであるコメント情報や予め設定された評価ポイント情報を登録する。
【０１７５】
状態判定部３４５は、本発明の状態判定手段を構成する。状態判定部３４５は、通信端末装置１０から送信された現在位置情報及び通信端末装置１０がその地点に存在するときの日時の情報に基づいて、移動状態であるのか、停止状態であるのかを判定している。
【０１７６】
すなわち、通信端末装置１０は、一定の時間毎に、当該通信端末装置１０が存在する現在位置に関する現在位置情報及びそのときの日時に関する情報を、情報提供サーバ装置３１に送信している。状態判定部３４５は、予め設定された処置の時間、例えば数分ごとに、当該通信端末装置１０が存在する現在位置に関する現在位置情報を比較し、現在位置情報が同じ場合には、通信端末装置１０は停止状態にあると判定し、現在位置情報が異なる場合には、通信端末装置１０は移動状態にあると判定する。
【０１７７】
立ち寄り判定部３４６は、本発明の立ち寄り判定手段を構成する。立ち寄り判定部３４６は、状態判定部３４５の判定結果に基づき、通信端末装置１０が停止状態にあると判定された場合、停止状態がお勧めスポットＰで発生しているか否かを判定する。
【０１７８】
具体的に、立ち寄り判定部３４６は、通信端末装置１０から送信される現在位置情報と、スポット情報ＤＢ３３３に登録されているお勧めスポットＰの位置情報とを比較し、通信端末装置１０が停止状態にあると判定された場合における通信端末装置１０の現在位置情報とお勧めスポットＰの位置情報とが一致する場合に、通信端末装置１０を携帯するユーザはお勧めスポットＰに立ち寄った、と判定する。
【０１７９】
データ集計部３４７を構成する立ち寄り回数カウント手段は、立ち寄り判定部３４６の判定結果に基づいて、ユーザによって立ち寄られたと判定されたお勧めスポットＰの立ち寄りの回数をお勧めスポットＰ毎にカウントする。そして、立ち寄り回数カウント手段によってカウントされた立ち寄り回数は、ＤＢ管理部３４１によって、スポット情報ＤＢ３３３に登録される。
【０１８０】
スポット情報ＤＢ３３３に登録された立ち寄り回数は、その後の、スポット情報の提供に反映される。例えば、お勧めスポットＰ毎に所定の範囲の回数を予め定め、登録された立ち寄り回数を数ヶ月間分にわたって集計し、立ち寄り回数が予め定められた回数以上であるかどうかという条件を設定し、スポット情報選択部３４２は、この条件を満たすお勧めスポットＰのスポット情報のみを選択する。
【０１８１】
なお、集計の期間は、適宜に設定する。また、所定の範囲とされる立ち寄りの回数は、各お勧めスポットＰ毎に個別に設定してもよいし、すべてのお勧めスポットＰについて統一して設定してもよい。
【０１８２】
［２．４］コメント情報
次に、コメント情報の処理について説明する。
【０１８３】
コメント内容判定部３４８は、通信端末装置１０から送信されたコメントの内容が、予め定められた所定内容のコメントであるかどうかを判定する。例えば、送信されたたテキストデータとしてのコメント情報の中に所定の内容、例えば、ポジティブな内容の文言のテキストデータを定めておき、コメントがそのテキストデータを含むかどうかを判定する。
【０１８４】
データ集計部３４７を構成するコメントカウント手段は、送信されたたテキストデータとしてのコメント情報の中から所定の内容のコメントに対応するテキストデータを含むコメントの数をカウントする。
【０１８５】
例えば、図１４に示す例では、スポットＩＤが「１０００１」の「葦毛崎展望台」において、「眺めがよい」、や「すばらしい景観」という文言に対応するテキストデータが含まれおり、このコメントをカウントし、カウントした結果をスポット情報ＤＢ３３３に登録する。
【０１８６】
また、データ集計部３４７を構成するコメントカウント手段は、予め設定された評価をポイントに変換した情報（例えば、「いいね」という評価を５ポイントに変換した情報）及びその情報がカウントされた回数を登録してもよい。
【０１８７】
そして、スポット情報ＤＢ３３３に登録された回数は、その後の、スポット情報の提供に反映される。例えば、お勧めスポットＰ毎に所定の範囲の回数を予め定め、登録された回数を数ヶ月間分にわたって集計し、その回数が予め定められた回数以上であるかどうかという条件を設定し、スポット情報選択部３４２は、この条件を満たすお勧めスポットＰのスポット情報のみを選択する。
【０１８８】
［２．５］情報提供サーバ装置の動作
［２．５．１］立ち寄り回数のカウントに関する処理
次に、図１５を参照して本実施形態において、情報提供サーバ装置３１によって実行される立ち寄り回数のカウントに関する処理について説明する。なお、図１５は、本実施形態における情報提供サーバ装置３１において実行される立ち寄り回数のカウントに関する処理の動作を示すフローチャートである。
【０１８９】
まず、情報提供サーバ装置３１は、通信端末装置１０から送信される当該通信端末装置１０の現在位置に関する現在位置情報及びその日時に関する情報を読み込む（Ｓ２０１）。
【０１９０】
次いで、情報提供サーバ装置３１における状態判定部３４５が、送られた現在位置情報に基づいて、通信端末装置１０が停止状態にあるか移動状態にあるかを判定する（Ｓ２０２）。その際、状態判定部３４５は、予め設定された処置の時間、例えば数分ごとに、当該通信端末装置１０が存在する現在位置に関する現在位置情報を比較し、現在位置情報が同じ場合には、通信端末装置１０は停止状態にあると判定し、現在位置情報が異なる場合には、通信端末装置１０は移動状態にあると判定する。
【０１９１】
次いで、立ち寄り判定部３４６が、状態判定部３４５の判定結果に基づき、通信端末装置１０が停止状態にあると判定された場合に、停止状態がお勧めスポットＰで発生しているか否かを判定する（Ｓ２０２）。具体的に、立ち寄り判定部３４６は、通信端末装置１０から送信される現在位置情報と、スポット情報ＤＢ３３３に登録されているお勧めスポットＰの位置情報とを比較し、通信端末装置１０が停止状態にあると判定された場合における通信端末装置１０の現在位置情報とお勧めスポットＰの位置情報とが一致する場合に、通信端末装置１０を携帯するユーザはお勧めスポットＰに立ち寄ったと、判定する。
【０１９２】
次いで、データ集計部３４７が、お勧めスポットＰの立ち寄り回数をお勧めスポットＰ毎にカウントする（Ｓ２０４）。カウントされた立ち寄り回数は、スポット情報ＤＢ３３３に立ち寄りスポットＰ毎に登録される。
【０１９３】
［２．５．２］コメント情報の処理
次に、図１６を参照して、情報提供サーバ装置３１によって実行されるコメント情報の処理について説明する。なお、図１６は、本実施形態における情報提供サーバ装置３１において実行されるコメント情報法の処理に関する処理の動作を示すフローチャートである。
【０１９４】
まず、情報提供サーバ装置３１は、通信端末装置１０から送信されるユーザのコメント情報を読み込む（Ｓ３０１）。読み込まれるコメント情報は、テキストデータや予め設定された評価をポイントに置き換えた情報である。
【０１９５】
次いで、ＤＢ管理部３４１を構成するコメント情報登録手段は、コメント情報をＤＢに登録する（Ｓ３０２）。
【０１９６】
次いで、情報提供サーバ装置３１におけるコメント内容判定部３４８は、送られたコメント情報の内容が所定内容のコメントであるかどうかを判定する（Ｓ３０３）。具体的に、コメント情報判定部は、登録されたテキストデータとしてのコメント情報の中から所定の内容のコメントに対応するテキストデータを含むコメントであるか否かを判定する。例えば、お勧めスポットＰ毎に、ポジティブな内容の文言のテキストデータを定めておき、送信されたコメントに当該テキストデータが含まれているか否かを判定する。
【０１９７】
また、コメント内容判定部３４８は、コメント情報が、予め設定された評価をポイントに変換した情報（例えば、「いいね」という評価を５ポイントに変換した情報）であるかどうかを判定するようにしてもよい。
【０１９８】
次いで、送られたコメント情報の内容が所定内容のコメントであると判断された場合に、データ集計部３４７を構成するコメントカウント手段は、所定内容のコメント情報の回数をカウントする（Ｓ３０４）。カウントされたコメント情報の回数は、スポット情報ＤＢ３３３に立ち寄りスポットＰ毎に登録される。
【０１９９】
［３］変形例
［３．１］変形例１
上記の実施形態は、お勧めスポットＰ毎の立ち寄り回数をスポット情報ＤＢに登録しているが、データの集計結果を登録するためのデータベースを別途に設け、そのデータベースに立ち寄り回数を登録してもよい。また、コメント情報及び所定内容のコメントの数についても、スポット情報ＤＢに登録しているが、データの集計結果を登録するためのデータベースを別途に設け、そのデータベースに立ち寄り回数を登録してもよい。なお、コメント情報については、ユーザ管理ＤＢにも併せて登録してもよい。
【０２００】
［３．２］変形例２
上記の実施形態では、情報提供サーバ装置が各種のデータベースを備えているが、各種データベースと情報提供サーバ装置を別個に設け、情報提供サーバ装置がデータベースの動作を制御するように構成してもよい。
【０２０１】
［３．３］変形例３
当該通信システムは、展示会等のイベントに適用することもできる。例えば、展示会の主催者が推奨するブースに関する情報を展示会の来場者に提供する場合に適用する。その場合、通信端末装置としては、来場者が携帯する各自の通信端末装置を利用する場合だけでなく、展示会の主催者が来場者に通信端末装置１０を配布することにより、通信システムを運用することもできる。
【符号の説明】
【０２０２】
１０  …  通信端末装置
２０  …  ネットワーク
３０，３１  …  情報提供サーバ装置
１１０  …  通信制御部
１２０  …  現在位置検出部
１３０  …  表示部
１４０  …  表示制御部
１５０  …  操作部
１６０  …  データ処理部
１７０  …  ＲＯＭ/ＲＡＭ
１８０  …  端末管理制御部
３１０  …  通信制御部
３２０  …  ＲＯＭ/ＲＡＭ
３３０  …  記録装置
３３１  …  ユーザ管理ＤＢ
３３２  …  コース情報ＤＢ
３３３  …  スポット情報ＤＢ
３４０  …  データ処理部
３４１  …  ＤＢ管理部
３４２  …  スポット情報選択部
３４３  …  情報生成部
３４５  …  状態判定部
３４６  …  立ち寄り判定部
３４７  …  データ集計部
３４６  …  コメント内容判定部
３５０  …  サーバ管理制御部
【図１】
2016180661.tif 000003
【図２】
2016180661.tif 000004
【図３】
2016180661.tif 000005
【図４】
2016180661.tif 000006
【図５】
2016180661.tif 000007
【図６】
2016180661.tif 000008
【図７】
2016180661.tif 000009
【図８】
2016180661.tif 000010
【図９】
2016180661.tif 000011
【図１０】
2016180661.tif 000012
【図１１】
2016180661.tif 000013
【図１２】
2016180661.tif 000014
【図１３】
2016180661.tif 000015
【図１４】
2016180661.tif 000016
【図１５】
2016180661.tif 000017
【図１６】
2016180661.tif 000018